【事件の表示】
　特許第６１７９１１５号発明「土留壁を構成する部材の打設方法」の特許異議申立事件について、次のとおり決定する。
【結　論】
　特許第６１７９１１５号の明細書、特許請求の範囲を訂正請求書に添付された訂正明細書、特許請求の範囲のとおり、訂正後の請求項〔１、２〕、３、４について訂正することを認める。
　特許第６１７９１１５号の請求項１、３、４に係る特許を維持する。
　特許第６１７９１１５号の請求項２に係る特許についての特許異議の申立てを却下する。　
【理　由】
第１　手続の経緯
　特許第６１７９１１５号の請求項１ないし４に係る特許についての出願は、平成２５年２月５日に出願され、平成２９年７月２８日にその特許権の設定登録がされ、平成２９年８月１６日に特許掲載公報が発行された。その後、その特許について、平成３０年２月１６日に特許異議申立人市東勇（以下「申立人」という。）により特許異議の申立てがされ、当審は、平成３０年６月２９日付け（７月４日発送）で取消理由を通知した。特許権者は、その指定期間内である平成３０年８月３０日に意見書の提出及び訂正の請求を行い、その訂正の請求に対して、申立人は、平成３０年１１月５日に意見書を提出した。
第２　訂正の適否についての判断
１　訂正の内容
　本件訂正請求による訂正の内容は以下の（１）〜（８）のとおりである。（下線は訂正箇所を示す。）
（１）訂正事項１
　特許請求の範囲の請求項１に、「受光側から発光側へ順次進行させることを特徴とする」とあるのを、「受光側から発光側へ順次進行させる
ものであり、前記発光器は、打設される前記複数の部材の鉛直面に対する傾斜角度と同一の角度だけ鉛直軸に対して傾斜する斜材を備え、該斜材が前記複数の部材の並ぶ方向に見て互いに重なり合うように設置された一対の丁張のうち、一方の前記丁張の前記斜材に対して、他方の前記丁張の前記斜材に付した照射点に向けて照射するように設置される
（２）訂正事項２
　特許請求の範囲の請求項２を削除する。
（３）訂正事項３
　明細書の段落【０００７】に、「受光側から発光側へ順次進行させるものである」とあるのを、「受光側から発光側へ順次進行させるものであ
り、前記発光器は、打設される前記複数の部材の鉛直面に対する傾斜角度と同一の角度だけ鉛直軸に対して傾斜する斜材を備え、該斜材が前記複数の部材の並ぶ方向に見て互いに重なり合うように設置された一対の丁張のうち、一方の前記丁張の前記斜材に対して、他方の前記丁張の前記斜材に付した照射点に向けて照射するように設置され
（４）訂正事項４
　明細書の段落【０００８】の記載を削除する。
（５）訂正事項５
　特許請求の範囲の請求項３に、「横方向に並ぶと共に下方に向って掘削領域側に傾斜するように打設する方法であって、前記部材は、」とあるのを、「横方向に並ぶと共に下方に向って掘削領域側に傾斜するように打設する方法であって、
複数本の光線又は線状の光線を、発光器から前記複数の部材の並び方向へ、当該方向に見て前記複数本の光線を結ぶ直線又は前記線状の光線が下方に向って掘削領域側に所定角度だけ傾斜するように照射させるものであり、前記発光器は、打設される前記複数の部材の鉛直面に対する傾斜角度と同一の角度だけ鉛直軸に対して傾斜する斜材を備え、該斜材が前記複数の部材の並ぶ方向に見て互いに重なり合うように設置された一対の丁張のうち、一方の前記丁張の前記斜材に対して、他方の前記丁張の前記斜材に付した照射点に向けて照射するように設置され、
（６）訂正事項６
　明細書の段落【０００９】に、「横方向に並ぶと共に下方に向って掘削領域側に傾斜するように打設する方法であって、前記部材は、」とあるのを、「横方向に並ぶと共に下方に向って掘削領域側に傾斜するように打設する方法であって、
複数本の光線又は線状の光線を、発光器から前記複数の部材の並び方向へ、当該方向に見て前記複数本の光線を結ぶ直線又は前記線状の光線が下方に向って掘削領域側に所定角度だけ傾斜するように照射させるものであり、前記発光器は、打設される前記複数の部材の鉛直面に対する部材の鉛直面に対する傾斜角度と同一の角度だけ鉛直軸に対して傾斜する斜材を備え、該斜材が前記複数の部材の並ぶ方向に見て互いに重なり合うように設置された一対の丁張のうち、一方の前記丁張の前記斜材に対して、他方の前記丁張の前記斜材に付した照射点に向けて照射するように設置され、
（７）訂正事項７
　特許請求の範囲の請求項４に、「前記複数本の光線又は線状の光線を基準に姿勢を調整して打設することを特徴とする」とあるのを、「前記複数本の光線又は線状の光線を基準に姿勢を調整して打設する
ものであり、前記発光器は、打設される前記複数の部材の鉛直面に対する傾斜角度と同一の角度だけ鉛直軸に対して傾斜する斜材を備え、該斜材が前記複数の部材の並ぶ方向に見て互いに重なり合うように設置された一対の丁張のうち、一方の前記丁張の前記斜材に対して、他方の前記丁張の前記斜材に付した照射点に向けて照射するように設置される
（８）訂正事項８
　明細書の段落【００１０】に、「前記複数本の光線又は線状の光線を基準に姿勢を調整して打設してもよい」とあるのを、「前記複数本の光線又は線状の光線を基準に姿勢を調整して打設
するものであり、前記発光器は、打設される前記複数の部材の鉛直面に対する傾斜角度と同一の角度だけ鉛直軸に対して傾斜する斜材を備え、該斜材が前記複数の部材の並ぶ方向に見て互いに重なり合うように設置された一対の丁張のうち、一方の前記丁張の前記斜材に対して、他方の前記丁張の前記斜材に付した照射点に向けて照射するように設置されるもので
２　訂正の適否の判断
（１）訂正の目的の適否、新規事項の有無、特許請求の範囲の拡張・変更の存否について
　ア　訂正事項１
　（ア）訂正の目的の適否について
　訂正事項１は、訂正前の特許請求の範囲の請求項１に記載された「発光器」について、その設置箇所及び照射対象を限定し、さらに該設置個所及び照射対象である斜材を備えた丁張の構造についても限定するものであるから、特許請求の範囲の減縮を目的とするものである。
　（イ）実質上特許請求の範囲を拡張し、又は変更するか否かについて
　訂正事項１は、上記（ア）で説示したように、「発光器」と「斜材を備えた丁張」の構成を限定するものであるから、実質上特許請求の範囲を拡張し、又は変更するものではない。
　（ウ）願書に添付した明細書、特許請求の範囲又は図面（以下「明細書等」という。）に記載した事項の範囲内の訂正であるか否かについて
　発明の詳細な説明には、「【００１４】・・・この工程では、一対の発光器２０、２１と、一対の丁張３０、４０とを施工ヤードに設置する。」、「【００１６】・・・丁張３０の斜材３６と丁張４０の斜材４６とは、複数の鋼矢板１２が並ぶ方向に見て互いに重なり合うように設置され・・・斜材３６、４６が、打設される鋼矢板１２の鉛直面に対する傾斜角度と同一の角度だけ、鉛直軸に対して傾斜するように配置される。」、「【００１８】・・・斜材３６上の発光器２０、２１の発光点の位置に印を付し、斜材４６上の照射点２２、２３に印を付す。」、「【００１９】一対の発光器２０、２１は、丁張３０の斜材３６の後側から丁張４０の斜材４６の照射点２２、２３に向けてレーザー光線Ｌ１、Ｌ２が照射されるように設置される。・・・」と記載されていることからみて、訂正事項１は、明細書等に記載した事項の範囲内の訂正である。
　イ　訂正事項２
　訂正事項２は、特許請求の範囲の請求項２を削除するものであるから、特許請求の範囲の減縮を目的とするものである。
　そして、実質上特許請求の範囲を拡張し、又は変更するものではなく、明細書等に記載した事項の範囲内の訂正であることは明らかである。
　ウ　訂正事項３
　訂正事項３は、上記訂正事項１に係る請求項１の訂正に伴い、特許請求の範囲の記載と発明の詳細な説明の記載との整合性を図るために、発明の詳細な説明の段落【０００７】の記載を訂正するものであるから、明瞭でない記載の釈明を目的とするものである。
　そして、実質上特許請求の範囲を拡張し、又は変更するものではなく、明細書等に記載した事項の範囲内の訂正であることは明らかである。
　エ　訂正事項４
　訂正事項４は、上記訂正事項２に係る請求項２の削除の訂正に伴い、特許請求の範囲の記載と発明の詳細な説明の記載との整合性を図るために、発明の詳細な説明の段落【０００８】の記載を削除するものであるから、明瞭でない記載の釈明を目的とするものである。
　そして、実質上特許請求の範囲を拡張し、又は変更するものではなく、明細書等に記載した事項の範囲内の訂正であることは明らかである。
　オ　訂正事項５
　（ア）訂正の目的の適否について
　訂正事項５は、訂正前の特許請求の範囲の請求項３に記載された「複数本の光線又は線状の光線」について、その下方に向かって傾斜する角度を限定し、また、「発光器」について、その設置箇所と照射対象を限定し、さらに該設置箇所及び照射対象である斜材を備えた丁張の構造についても限定するものであるから、特許請求の範囲の減縮を目的とするものである。
　（イ）実質上特許請求の範囲を拡張し、又は変更するか否かについて
　訂正事項１は、上記（ア）で説示したように、「複数本の光線又は線状の光線」について、その下方に向かって傾斜する角度を限定し、また、「発光器」について、その設置箇所及び照射対象を限定し、さらに該設置個所及び照射対象である斜材を備えた丁張の構造についても限定するものであるから、実質上特許請求の範囲を拡張し、又は変更するものではない。
　（ウ）明細書等に記載した事項の範囲内の訂正であるか否かについて
　本件訂正前の特許請求の範囲に、「【請求項１】・・・複数本の光線又は線状の光線を、発光器から前記複数の部材の並び方向へ、当該方向に見て前記複数本の光線を結ぶ直線又は前記線状の光線が下方に向って掘削領域側に所定角度だけ傾斜するように照射させ・・・」、「【請求項４】・・・複数本の光線又は線状の光線を、発光器から前記複数の部材の並び方向へ、当該方向に見て前記複数本の光線を結ぶ直線又は前記線状の光線が下方に向って掘削領域側に所定角度だけ傾斜するように照射させ・・・」と記載され、また発明の詳細な説明に、「【００２４】・・・一対のレーザー光線Ｌ１、Ｌ２を、発光器２０、２１から複数の鋼矢板１２の並び方向へ、当該方向に見て一対の光線Ｌ１、Ｌ２を結ぶ直線が下方に向って掘削領域１側に所定角度だけ傾斜するように照射させ・・・」、「【００１４】・・・この工程では、一対の発光器２０、２１と、一対の丁張３０、４０とを施工ヤードに設置する。」、「【００１６】・・・丁張３０の斜材３６と丁張４０の斜材４６とは、複数の鋼矢板１２が並ぶ方向に見て互いに重なり合うように設置され・・・斜材３６、４６が、打設される鋼矢板１２の鉛直面に対する傾斜角度と同一の角度だけ、鉛直軸に対して傾斜するように配置される。」、「【００１８】・・・斜材３６上の発光器２０、２１の発光点の位置に印を付し、斜材４６上の照射点２２、２３に印を付す。」、「【００１９】一対の発光器２０、２１は、丁張３０の斜材３６の後側から丁張４０の斜材４６の照射点２２、２３に向けてレーザー光線Ｌ１、Ｌ２が照射されるように設置される。・・・」と記載されていることからみて、訂正事項５は、明細書等に記載した事項の範囲内の訂正である。
　カ　訂正事項６
　訂正事項６は、上記訂正事項５に係る請求項３の訂正に伴い、特許請求の範囲の記載と発明の詳細な説明の記載との整合性を図るために、発明の詳細な説明の段落【０００９】の記載を訂正するものであるから、明瞭でない記載の釈明を目的とするものである。
　そして、実質上特許請求の範囲を拡張し、又は変更するものではなく、明細書等に記載した事項の範囲内の訂正であることは明らかである。
　キ　訂正事項７
　（ア）訂正の目的の適否について
　訂正事項７は、訂正前の特許請求の範囲の請求項４に記載された「発光器」について、その設置箇所と照射対象を限定し、さらに該設置箇所及び照射対象である斜材を備えた丁張の構造についても限定するものであるから、特許請求の範囲の減縮を目的とするものである。
　（イ）実質上特許請求の範囲を拡張し、又は変更するか否かについて
　訂正事項７は、上記（ア）で説示したように、「発光器」と「斜材を備えた丁張」の構成を限定するものであるから、実質上特許請求の範囲を拡張し、又は変更するものではない。
　（ウ）明細書等に記載した事項の範囲内の訂正であるか否かについて
　発明の詳細な説明には、「【００１４】・・・この工程では、一対の発光器２０、２１と、一対の丁張３０、４０とを施工ヤードに設置する。」、「【００１６】・・・丁張３０の斜材３６と丁張４０の斜材４６とは、複数の鋼矢板１２が並ぶ方向に見て互いに重なり合うように設置され・・・斜材３６、４６が、打設される鋼矢板１２の鉛直面に対する傾斜角度と同一の角度だけ、鉛直軸に対して傾斜するように配置される。」、「【００１８】・・・斜材３６上の発光器２０、２１の発光点の位置に印を付し、斜材４６上の照射点２２、２３に印を付す。」、「【００１９】一対の発光器２０、２１は、丁張３０の斜材３６の後側から丁張４０の斜材４６の照射点２２、２３に向けてレーザー光線Ｌ１、Ｌ２が照射されるように設置される。・・・」と記載されていることからみて、訂正事項７は、明細書等に記載した事項の範囲内の訂正である。
　ク　訂正事項８
　訂正事項８は、上記訂正事項７に係る請求項４の訂正に伴い、特許請求の範囲の記載と発明の詳細な説明の記載との整合性を図るために、発明の詳細な説明の段落【００１０】の記載を訂正するものであるから、明瞭でない記載の釈明を目的とするものである。
　そして、実質上特許請求の範囲を拡張し、又は変更するものではなく、明細書等に記載した事項の範囲内の訂正であることは明らかである。
（２）一群の請求項について
　訂正前の請求項１及び２について、請求項２は、請求項１を引用しているものであって、訂正事項１によって記載が訂正される請求項１に連動して訂正されるものである。
　よって、訂正前の請求項１及び２に対応する訂正後の請求項１及び２は、特許法第１２０条の５第４項に規定する一群の請求項である。
（３）明細書の訂正と関係する（一群の）請求項について
　明細書についての訂正である訂正事項３、４は、一群の請求項である請求項１及び２についての訂正である訂正事項１、２と整合性を図るための訂正である。よって、訂正事項３、４は、一群の請求項である請求項１及び２に関連する訂正であるから、特許法第１２０条の５第９項で準用する１２６条第４項に適合するものである。
（４）小括  
　以上のとおりであるから、本件訂正請求による訂正は、特許法第１２０条の５第２項ただし書第１号または第３号に掲げる事項を目的とするものであり、かつ、同条第９項で準用する同法第１２６条第５項及び第６項の規定に適合するので、訂正後の請求項〔１、２〕、３、４について訂正することを認める。
第３　訂正後の請求項１ないし４に係る発明
　上記訂正請求により訂正された請求項１、３、４に係る発明（以下「本件発明１」等といい、全体を「本件発明」という。）は、その特許請求の範囲の請求項１、３、４に記載された次の事項により特定されるとおりのものである。
「【請求項１】
　下方に向って掘削領域側に傾斜する土留壁を構成する複数の部材を、横方向に直線的に並ぶと共に下方に向って掘削領域側に傾斜するように打設する方法であって、
　複数本の光線又は線状の光線を、発光器から前記複数の部材の並び方向へ、当該方向に見て前記複数本の光線を結ぶ直線又は前記線状の光線が下方に向って掘削領域側に所定角度だけ傾斜するように照射させ、複数の前記部材の各々を、前記複数本の光線又は線状の光線を基準に姿勢を調整して打設する作業を、受光側から発光側へ順次進行させるものであり、
　前記発光器は、打設される前記複数の部材の鉛直面に対する傾斜角度と同一の角度だけ鉛直軸に対して傾斜する斜材を備え、該斜材が前記複数の部材の並ぶ方向に見て互いに重なり合うように設置された一対の丁張のうち、一方の前記丁張の前記斜材に対して、他方の前記丁張の前記斜材に付した照射点に向けて照射するように設置されることを特徴とする土留壁を構成する部材の打設方法。
【請求項３】
　下方に向って掘削領域側に傾斜する土留壁を構成する複数の部材を、横方向に並ぶと共に下方に向って掘削領域側に傾斜するように打設する方法であって、
　複数本の光線又は線状の光線を、発光器から前記複数の部材の並び方向へ、当該方向に見て前記複数本の光線を結ぶ直線又は前記線状の光線が下方に向って掘削領域側に所定角度だけ傾斜するように照射させるものであり、
　前記発光器は、打設される前記複数の部材の鉛直面に対する傾斜角度と同一の角度だけ鉛直軸に対して傾斜する斜材を備え、該斜材が前記複数の部材の並ぶ方向に見て互いに重なり合うように設置された一対の丁張のうち、一方の前記丁張の前記斜材に対して、他方の前記丁張の前記斜材に付した照射点に向けて照射するように設置され、
　前記部材は、鋼矢板又は鋼管矢板であり、前記土留壁は、複数の前記鋼矢板又は鋼管矢板がジョイントを介して連結されて構築され、
　支持層に達しない長さの前記鋼矢板又は鋼管矢板を、前記ジョイントに照射させた前記複数本の光線又は線状の光線を基準に姿勢を調整して支持層よりも上位の層まで打設する工程と、
　支持層まで達する長さの前記鋼矢板又は鋼管矢板を、打設済の前記支持層に達しない長さの前記鋼矢板又は鋼管矢板と前記ジョイントを介して連結されるように、前記ジョイントに照射させた前記複数本の光線又は線状の光線を基準に姿勢を調整して支持層まで打設する工程と、を備えることを特徴とする土留壁を構成する部材の打設方法。
【請求項４】
　下方に向って掘削領域側に傾斜する土留壁を構成する複数の部材を、横方向に並ぶと共に下方に向って掘削領域側に傾斜するように打設する方法であって、
　複数本の光線又は線状の光線を、発光器から前記複数の部材の並び方向へ、当該方向に見て前記複数本の光線を結ぶ直線又は前記線状の光線が下方に向って掘削領域側に所定角度だけ傾斜するように照射させるとともに、前記複数本の光線の最上位の光線又は前記線状の光線の上端の高さを、前記部材の上端の高さの設計値に設定し、
　前記部材を、前記複数本の光線又は線状の光線を基準に姿勢を調整して打設するものであり、
　前記発光器は、打設される前記複数の部材の鉛直面に対する傾斜角度と同一の角度だけ鉛直軸に対して傾斜する斜材を備え、該斜材が前記複数の部材の並ぶ方向に見て互いに重なり合うように設置された一対の丁張のうち、一方の前記丁張の前記斜材に対して、他方の前記丁張の前記斜材に付した照射点に向けて照射するように設置されることを特徴とする土留壁を構成する部材の打設方法。」
第４　特許異議の申立てについて
１　取消理由の概要
　訂正前の請求項１ないし４に係る特許に対して、平成３０年６月２９日付けで特許権者に通知した取消理由の要旨は次のとおりである。
（理由１）
　本件特許は、特許請求の範囲の請求項３の記載が不明確であり、特許法第３６条第６項第２号に規定する要件を満たしておらず、本件特許の請求項３に係る特許は取り消すべきものである。
（理由２）
　本件特許の請求項１ないし４に係る発明は、甲第１号証ないし甲第５号証に記載された発明に基いて、当業者が容易に発明をすることができたものであって、特許法第２９条第２項の規定により特許を受けることができないから、その発明に係る特許は取り消すべきものである。
〔証拠〕
　甲第１号証：貫井孝治　外３名、「火力発電所取水管路設置における鋼矢板自立斜め土留め工法の適用事例」、土木学会第６６回年次学術講演会（平成２３年度） 
　甲第２号証：ＰＩＬＥ　ＬＡＳＥＲ　２　取扱説明書、株式会社技研製作所、平成６年１０月、１−６頁
　甲第３号証：特許第２６１０４０３号公報 
　甲第４号証：特開２０１２−２６１３４号公報 
　甲第５号証：杭圧入引抜機の運転者教本　広域認定職業訓練用、全国圧入協会、平成１４年３月、５６−６７頁 
　甲第６号証：実願平５−２３２１７号（実開平６−７４６３８号）のＣＤ−ＲＯＭ（平成３０年１１月５日付け意見書に添付。）
２　各甲号証の記載
（１）甲第１号証
　甲第１号証には以下の事項が記載されている。
　（下線は、本決定で付した。以下同様。）
　ア　「１．はじめに
　本工事は，火力発電所増設工事のうち，復水器冷却用水路の築造工事である．除塵フィルター取付け部の
管路掘削
鋼矢板を斜めに打設し自立土留めとする
鋼矢板斜め自立土留め工法
　イ　「２．鋼矢板斜め自立土留め工法採用経緯
　当工事は，増設工事であるため，発電所が供用している中での作業であり，発電所本体工事と工事用地を競合している．このことから，取水管路鋼管および放水管路鋼管を各２条（いずれもφ２８００ｍｍ）設置するための掘削工事を，幅３０ｍの直接工事区域内で施工する必要があった（図−１，２）．また，２号機発電所本体工事進捗との調整により，配管工事を含めた当該部分の施工期間を６ヶ月に限定する必要があった．
　上記制約条件を満足するため，
土留め壁を傾斜させることで背面土圧を低減
　ウ　９頁の図１は、以下のとおり。
　図１
　エ　「４．斜め鋼矢板打設方法
　鋼矢板に傾斜角をつけて打設する方法は，通常の鉛直打設をするのと同様に，
サイレントパイラー
を使用し
打設する鋼矢板の傾斜なりに傾く
パイラー本体に補助シリンダーを取り付け，姿勢を制御し
傾斜角度の管理は，斜めの丁張のほかに，赤外線レーザーを２箇所設置することにより対応した
　オ　上記アないしエからみて、甲第１号証には次の発明（以下「甲１発明」という。）が記載されているものと認める。
「管路掘削において、土留め壁を傾斜させることで背面土圧を低減する、鋼矢板を斜めに打設し自立土留めとする鋼矢板斜め自立工法であって、
　打設する鋼矢板の傾斜なりに傾くサイレントパイラーを使用し、パイラー本体に補助シリンダーを取り付け、姿勢を制御し、傾斜角度の管理は、斜め丁張のほかに、赤外線レーザーを２箇所設置することにより対応した、鋼矢板斜め自立工法。」
（２）甲第２号証
　甲第２号証には、以下の事項が記載されている。
　ア　「１．概要
この２軸出射型半導体レーザーは　２ケの半導体レーザーからレーザー光線を出射し、基準点と任意の点２点を指す事により基準点を観ると同時に、基準点と任意の点を結ぶラインに対して、被写体の傾きを観る事が出来る芯出し装置です。」（１頁４〜８行）
　イ　３頁には、以下の図が記載されている。
　ウ　４頁には、以下の図が記載されている。
　エ　「使用方法
・・・
４．基準光の設定
ヘッド部下側より出射されるレーザー光を、
丁張り
　この時ヘッド部がほぼ水平になるように設置して下さい。
５．微調整は、ヘッド部背面の微調整ノブ１、２によって行って下さい。
６．任意の点（角度光）の設定
　測点１〜測点２の直線上の任意の位置に下げ振りを垂らします。
　（下げ振りの糸に、先に設定した基準光が当たる事。）
この下げ振りの糸に角度光が当たるように、ヘッド上面の角度光用微調整ノブ３，４によってヘッド部上部のレーザーを合わせます。角度は施工しやすい角度に設定して下さい。
７．再度、水平光の位置を確認し、施工をはじめて下さい。」（５頁１〜末行）
（３）甲第３号証
　甲第３号証には、図面とともに以下の事項が記載されている。 
　ア　「【０００１】
【産業上の利用分野】本発明は、レーザーの直進性を利用して、部材の位置合わせに使用される位置合わせ用レーザー装置に関する。
【０００２】
【従来の技術】一般に、レーザーの直進性を利用した芯出し装置（位置合わせ用レーザー装置）が知られている。また、上記レーザー装置においては、複数のレーザーを同時に出力することにより垂直及び水平出しを行うことができる多方出力型のものが知られている。
【０００３】多方出力型のレーザー装置としては、例えば、水平方向に出力される第一のレーザーと、該第一のレーザーと略同一な垂直平面内において、斜め上方に出力される第二のレーザーとを出力可能なヘッド部を有するものが知られている。
【０００４】そして、上記レーザー装置においては、上記第一のレーザーにより、水平出しを行うことができるようになっている。また、例えば、打ち込み中の杭に上記第一のレーザーと第二のレーザーとを照射した場合に、二つのレーザーを同時に杭の中心軸に向かって照射できれば、該杭が一つの垂直平面内に存在することを証明でき、上記レーザー装置により二カ所から上記杭の中心軸に向かって上記二つのレーザーを照射できるようにすれば杭の垂直出しができるようになっている。」
　イ　「【００５８】また、第一実施例のレーザー装置は、上述のように脆弱な部材にも容易に設置できるので、住宅の基礎工事の際などに用いられ、柱心、壁の中心、内外面などの水平位置を表示するための仮設物となる
丁張
  
（４）甲第４号証
　甲第４号証には、図面とともに以下の事項が記載されている。 
　ア　「【０００１】
　本発明は、土木、建築用の基礎部材である杭を地盤に埋設する際に適用する杭の角度計測装置、およびこれによる杭の角度計測方法に関する
　イ　「【００２７】
　検知装置１４は、検知器が具備される装置であり、垂下部材１５、第一検知器１６、第二検知器１７を有している。
　垂下部材１５は棒状の部材であり、軸部材１３にその一端側が固定されている。
　第一検知器１６、第二検知器１７は、
被測定物までの距離を測定できる機器
レーザー測定器
　ウ　「【００４１】
　ここで、
鋼管杭１の傾斜角
得る
（５）甲第５号証
　甲第５号証には、図面とともに以下の事項が記載されている。 
　（丸囲み数字は、「○数字」と表記する。）
　ア　「○３　反力ウエイト不足の処理
　（注：図は省略）
　反力ウエイトが載せられない、あるいは地盤が硬質で一度に長い鋼矢板を圧入できないなどで十分な反力がとれない場合は、短尺鋼矢板から圧入を開始し、その反力を利用しながら順次長い鋼矢板を圧入していく。正規の鋼矢板を数枚圧入し、十分に反力が得られるようになったら、機械を反転させ、短尺鋼矢板を正規の長さのものに差し替える。」（６０頁１〜８行）
（６）甲第６号証
　甲第６号証には、図面とともに以下の事項が記載されている。 
「　　　【０００１】
　　【産業上の利用分野】
　本考案は、各種の作業を行うための法線をレーザー光線の照射によって定める杭打設用照準装置に関する。
　　　【０００２】
　　【従来の技術】
　杭の打設工事等では、正確な法線をだすため、水糸を張りその水糸に従って各種の作業を行っている。この水糸によって法線をだす場合は、その誤差を少なくするため、基本となる点と点の距離（有効基線長）が十分に必要である。
　また杭Ｐを地中に連続して圧入する場合には図１０及び図１１に示すように、レーザー光線を照射することによって法線を出すことも行われている。この場合まず法線Ｘ上に、基準杆Ａ、Ｂを適宜間隔に設置し、この基準杆Ａ、Ｂの上端に照準となる照準釘２３、２４等をそれぞれ取付ける。次いで、レーザー照準機２５を基準杆Ｂの前方に配置し、レーザー光線が基準杆Ａ、Ｂの照準釘２３、２４を通過するように、照射角度を調整して据付け、照射されたレーザー光線に従って杭Ｐの圧入作業を行っている。」
３　当審の判断
（１）特許法第３６条第６項第２号について
　本件訂正前の請求項３には、「前記複数本の光線又は線状の光線」と記載されているものの、当該記載前に「複数本の光線又は線状の光線」は記載されておらず不明確であるとともに、複数本の光線又は線状の光線がどのような態様で照射されているか記載されておらず（例えば請求項１に記載されるような方向、角度は特定されない）、これを基準に鋼矢板等の姿勢を調整する技術内容が欠如するために、訂正前の請求項３に係る発明は不明確であった。
　しかしながら、本件訂正により、請求項３の「前記複数本の光線又は線状の光線」の前に、該光線について、請求項１と同様の「複数本の光線又は線状の光線を、発光器から前記複数の部材の並び方向へ、当該方向に見て前記複数本の光線を結ぶ直線又は前記線状の光線が下方に向って掘削領域側に所定角度だけ傾斜するように照射させるものであり、」が加えられ、該光線の照射態様が特定され、鋼矢板の姿勢を調整する技術内容が明確となった。
　よって、本件訂正後の本件発明３に不明確な点はない。
（２）特許法第２９条第２項について
　ア　本件発明１
　（ア）対比
　本件発明１と甲１発明を対比する。
　甲１発明の「管路掘削において、土留め壁を傾斜させることで背面土圧を低減する、鋼矢板を斜めに打設し自立土留めとする鋼矢板斜め自立工法」は、本件発明１の「下方に向かって掘削領域側に傾斜する土留壁を構成する複数の部材を、横方向に直線的に並ぶと共に下方に向かって掘削領域側に傾斜するように打設する方法」に相当するから、本件発明１と甲１発明は、当該方法に関する発明である点で一致し、少なくとも、本件発明１が、「前記発光器は、打設される前記複数の部材の鉛直面に対する傾斜角度と同一の角度だけ鉛直軸に対して傾斜する斜材を備え、該斜材が前記複数の部材の並ぶ方向に見て互いに重なり合うように設置された一対の丁張りのうち、一方の前記丁張の前記斜材に対して、他方の前記丁張の前記斜材に付した照射点に向けて照射するように設置される」のに対し、甲１発明は、斜めの丁張及び２箇所の赤外線レーザー（発光器）をどのように配置するのか不明である点（以下「相違点１」という。）、で相違している。
　（イ）判断
　申立人が提示した他の証拠について確認する。
　甲第２号証及び甲第３号証には、丁張と２本のレーザー光で鋼矢板の位置合わせを行うことが記載されているが、該２本のレーザー光は、斜めに打設する鋼矢板の位置合わせに用いるものではなく、また、丁張は斜材を備えていない。
　甲第４号証に記載のレーザー測定機は、被測定物までの距離を測定できる機器であって、鋼管杭１の傾斜角を得るものではあるが、光線を複数の鋼矢板の並び方向へ照射するものではないから、甲１発明に適用する動機付けがなく、また、甲第４号証には、丁張についての記載もない。
　甲第５号証には、そもそも鋼矢板の位置合わせに関する記載はない。
　甲第６号証には、２つの基準杆と、１本のレーザー光線に従って杭Ｐの圧入作業を行うことが記載されているが、杭Ｐを斜めに打設するものではなく、基準杆も斜材ではない。なお、甲第６号証の図６等には、斜めに傾いたアーム部６が記載されているが、該傾きは、本件発明１でいうところの複数の部材の鉛直面に対する傾斜とは、傾斜方向が９０°相違している。
　よって、上記相違点１に係る発光器の設置個所及び照射対象、並びに斜材を備えた丁張については、申立人が提示する甲第２号証ないし甲第６号証にも記載も示唆もされていない。
　したがって、本件発明１は、甲１発明及び甲第２号証ないし甲第６号証に記載された事項に基いて、当業者が容易に発明をすることができたものではない。
　イ　本件発明２
　上記第２のとおり、本件訂正請求により請求項２は削除された。
　その結果、請求項２に係る特許についての特許異議申立ては、その対象を欠くこととなったので、不適法な申立てであり、その補正をすることができないものであるから、特許法第１２０条の８第１項において準用する同法第１３５条の規定により却下すべきものである。
　ウ　本件発明３及び４について
　本件発明３及び４と甲１発明を対比すると、少なくとも、本件発明３及び４は、「前記発光器は、打設される前記複数の部材の鉛直面に対する傾斜角度と同一の角度だけ鉛直軸に対して傾斜する斜材を備え、該斜材が前記複数の部材の並ぶ方向に見て互いに重なり合うように設置された一対の丁張のうち、一方の前記丁張の前記斜材に対して、他方の前記丁張の前記斜材に付した照射点に向けて照射するように設置され」るのに対し、甲１発明は、丁張りの斜材及び発光器をどのように配置するのか不明である点（以下「相違点２」という。）、で相違している。
　そして、上記相違点２は、上記アで挙げた相違点１と同じであるから、本件発明３及び４は、上記アで説示した理由と同じ理由により、甲１発明及び甲第２号証ないし甲第６号証に記載された事項に基いて、当業者が容易に発明をすることができたものではない。
　エ　申立人の主張について
　（ア）申立人は意見書において、「甲第２号証又は甲第６号証の記載に基づき、本件発明のように複数本の光線のそれぞれについて、近距離側の測点１と、遠距離側の測点２とを設けて、光線をかすめるように設置することは容易であり、複数の近距離側の測点を繋ぐような斜材と、複数の遠距離側の測点を繋ぐような斜材とを適用することは当業者が適宜なし得る設計事項に過ぎない。」、「斜材を用いることや、手前側の斜材に発光器を設置することは、特段の作用効果を発揮させるものではない。」と主張する。
　しかしながら、申立人が提示した証拠には、本件発明１の複数の部材の鉛直面に対する傾斜角度に対して傾斜する斜材や、該斜材と発光器との関係は記載されておらず、示唆する記載もないから、申立人が主張するように、適宜なし得る設計事項とはいえない。
　（イ）同じく「訂正発明にあっては、『丁張３０と丁張４０とは、複数の鋼矢板１２の打設領域を挟むように設置される。』及び『さらに、丁張３０、４０が、柱材３２、４２が鉛直になるように設置される』が記載されておらず、発明の詳細な説明に記載のものではない。」とも主張する。
　しかしながら、訂正後の本件発明は、「前記発光器は、・・・一方の前記丁張の前記斜材に対して、他方の前記丁張の前記斜材に付した照射点に向けて照射するように設置される」ものであるから、一方の丁張側から照射された光は、他方の丁張の照射点に照射され、他方の丁張を超えて照射されるものではないから、複数の鋼矢板の打設領域は、一方の丁張と他方の丁張の間であることは明らかである。
　また、本件発明において、光線を所定角度傾斜させるために、丁張に斜材が備えられているところ、該斜材の設置に際し、鉛直となる柱材は必須の構成ではない。
　よって、申立人が主張する上記構成を備えていないとしても、本件発明は発明の詳細な説明に記載されたものである。
第５　まとめ
　以上のとおりであるから、取消理由通知に記載した取消理由、特許異議申立書に記載した特許異議申立理由及び証拠によっては、本件発明１、３及び４に係る特許を取り消すことはできない。
　そして、他に本件発明１、３及び４に係る特許を取り消すべき理由を発見しない。
　また、本件発明２に係る特許についての特許異議の申立ては、特許法第１２０条の８第１項において準用する同法第１３５条の規定により却下すべきものである。
　よって、結論のとおり決定する。
【異議決定日】
平成３０年１２月４日（２０１８．１２．４）
【訂正の要旨】
審決（決定）の【理由】欄参照。
（５４）【発明の名称】
土留壁を構成する部材の打設方法
【発明の詳細な説明】
　【技術分野】
　【０００１】
　本発明は、下方に向って掘削領域側に傾斜する土留壁を構成する部材の打設方法に関する。
　【背景技術】
　【０００２】
　鉛直な土留壁を構成する複数の鋼矢板や鋼管矢板等の部材を、打ち込み予定線に沿って直線的に並ぶように打設するために、打ち込み予定線に沿って１本のレーザー光線を照射し、該１本のレーザー光線を基準にして、部材の姿勢を調整しながら打設する方法が知られている（例えば、特許文献１参照）。
　【０００３】
　また、土留壁としては、鉛直な土留壁の他に、下方に向って掘削領域側に傾斜するように構築された土留壁（以下、斜め土留壁という場合がある）が知られている（例えば、特許文献２、３参照）。これらの土留壁は、上方に向って掘削領域の反対側に傾斜していることにより、背面側における主働滑り面との間の地盤の体積が減少して受ける土圧が減少する。
　【先行技術文献】
　【特許文献】
　【０００４】
　【特許文献１】特開昭６４−４１８１４号公報
　【特許文献２】特許第４８６２９０８号公報
　【特許文献３】特許第４６８３１３８号公報
　【発明の概要】
　【発明が解決しようとする課題】
　【０００５】
　斜め土留壁の施工では、斜め土留壁を構成する複数の部材を、打ち込み予定線に沿って直線的に並ぶと共に、所定の傾斜角度で下方に延びるように精度よく打設する必要がある。そのためには、打設中の部材の位置、及び、鉛直面に対する傾斜角度を含む姿勢の誤差を確認できるようにする必要があるところ、特許文献１に記載の打設方法では、打設中の部材の鉛直面に対する傾斜角度の誤差までは確認できない。
　【０００６】
　本発明は、上記事情に鑑みなされたものであり、斜め土留壁を構成する複数の部材を、横方向に直線的に並ぶと共に、所定の傾斜角度で下方に延びるように精度よく打設することを課題とするものである。
　【課題を解決するための手段】
　【０００７】
　本発明の土留壁を構成する部材の打設方法は、下方に向って掘削領域側に傾斜する土留壁を構成する複数の部材を、横方向に直線的に並ぶと共に下方に向って掘削領域側に傾斜するように打設する方法であって、複数本の光線又は線状の光線を、発光器から前記複数の部材の並び方向へ、当該方向に見て前記複数本の光線を結ぶ直線又は前記線状の光線が下方に向って掘削領域側に所定角度だけ傾斜するように照射させ、複数の前記部材の各々を、前記複数本の光線又は線状の光線を基準に姿勢を調整して打設する作業を、受光側から発光側へ順次進行させる
ものであり、前記発光器は、打設される前記複数の部材の鉛直面に対する傾斜角度と同一の角度だけ鉛直軸に対して傾斜する斜材を備え、該斜材が前記複数の部材の並ぶ方向に見て互いに重なり合うように設置された一対の丁張のうち、一方の前記丁張の前記斜材に対して、他方の前記丁張の前記斜材に付した照射点に向けて照射するように設置される。
　【０００８】（削除）
　【０００９】
　本発明の土留壁を構成する部材の打設方法は、下方に向って掘削領域側に傾斜する土留壁を構成する複数の部材を、横方向に並ぶと共に下方に向って掘削領域側に傾斜するように打設する方法であって、
複数本の光線又は線状の光線を、発光器から前記複数の部材の並び方向へ、当該方向に見て前記複数本の光線を結ぶ直線又は前記線状の光線が下方に向って掘削領域側に所定角度だけ傾斜するように照射させるものであり、前記発光器は、打設される前記複数の部材の鉛直面に対する傾斜角度と同一の角度だけ鉛直軸に対して傾斜する斜材を備え、該斜材が前記複数の部材の並ぶ方向に見て互いに重なり合うように設置された一対の丁張のうち、一方の前記丁張の前記斜材に対して、他方の前記丁張の前記斜材に付した照射点に向けて照射するように設置され、
　【００１０】
　本発明の土留壁を構成する部材の打設方法は、下方に向って掘削領域側に傾斜する土留壁を構成する複数の部材を、横方向に並ぶと共に下方に向って掘削領域側に傾斜するように打設する方法であって、複数本の光線又は線状の光線を、発光器から前記複数の部材の並び方向へ、当該方向に見て前記複数本の光線を結ぶ直線又は前記線状の光線が下方に向って掘削領域側に所定角度だけ傾斜するように照射させるとともに、前記複数本の光線の最上位の光線又は前記線状の光線の上端の高さを、前記部材の上端の高さの設計値に設定し、前記部材を、前記複数本の光線又は線状の光線を基準に姿勢を調整して打設する
ものであり、前記発光器は、打設される前記複数の部材の鉛直面に対する傾斜角度と同一の角度だけ鉛直軸に対して傾斜する斜材を備え、該斜材が前記複数の部材の並ぶ方向に見て互いに重なり合うように設置された一対の丁張のうち、一方の前記丁張の前記斜材に対して、他方の前記丁張の前記斜材に付した照射点に向けて照射するように設置されるもので
　【発明の効果】
　【００１１】
　本発明によれば、斜め土留壁を構成する複数の部材を、横方向に直線的に並ぶと共に、所定の傾斜角度で下方に延びるように精度よく打設することができる。
　【図面の簡単な説明】
　【００１２】
　【図１】一実施形態に係る鋼矢板の打設方法を用いて構築する斜め土留壁を示す斜視図である。
　【図２】一実施形態に係る鋼矢板の打設方法の手順を示す斜視図である。
　【図３】一実施形態に係る鋼矢板の打設方法の手順を示す斜視図である。
　【図４】一実施形態に係る鋼矢板の打設方法の手順を示す斜視図である。
　【図５】一実施形態に係る鋼矢板の打設方法の手順を示す斜視図である。
　【図６】一実施形態に係る鋼矢板の打設方法の手順を示す斜視図である。
　【図７】他の実施形態に係る鋼矢板の打設方法の手順を示す斜視図である。
　【図８】他の実施形態に係る鋼矢板の打設方法の手順を示す斜視図である。
　【発明を実施するための形態】
　【００１３】
　以下、本発明の一実施形態を、図面を参照しながら説明する。図１は、一実施形態に係る鋼矢板１２の打設方法を用いて構築する斜め土留壁１０を示す斜視図である。この図に示すように、斜め土留壁１０は、下方に向って掘削領域１側に傾斜するように構築された鋼矢板壁であり、複数の鋼矢板１２が掘削領域１の外縁に沿って直線的に並んで連結されると共に、鉛直面Ｖに対して所定の傾斜角度（例えば、１０°）で傾斜して下方に延びた構成となっている。ここで、複数の鋼矢板１２は、互いに隣り合ってジョイント１２Ｊで連結される物同士が、平面視において複数の連結点が直線的に並ぶように打設されている。
　【００１４】
　図２〜図６は、一実施形態に係る鋼矢板１２の打設方法の手順を示す斜視図である。まず、図２に示すように、複数の鋼矢板１２を設計通りに打設するための基準線を、一対のレーザー光線Ｌ１、Ｌ２により設定する。この工程では、一対の発光器２０、２１と、一対の丁張３０、４０とを施工ヤードに設置する。
　【００１５】
　丁張３０は、逆Ｔ字状となるように接合された柱材３２及び梁材３４と、これらに両端を接合された斜材３６とで構成されている。斜材３６と柱材３２とのなす角は、打設される鋼矢板１２の鉛直面に対する傾斜角度と同一の角度に設定されている。この丁張３０には、一対の発光器２０、２１が設置されている。一方、丁張４０も、丁張３０と同様、逆Ｔ字状となるように接合された柱材４２及び梁材４４と、これらに両端を接合された斜材４６とで構成されており、斜材４６と柱材４２とのなす角は、打設される鋼矢板１２の鉛直面に対する傾斜角度と同一の角度に設定されている。
　【００１６】
　丁張３０と丁張４０とは、複数の鋼矢板１２の打設領域を挟むように設置される。また、丁張３０の斜材３６と丁張４０の斜材４６とは、複数の鋼矢板１２が並ぶ方向に見て互いに重なり合うように設置される。さらに、丁張３０、４０が、柱材３２、４２が鉛直になるように設置されることにより、斜材３６、４６が、打設される鋼矢板１２の鉛直面に対する傾斜角度と同一の角度だけ、鉛直軸に対して傾斜するように配置される。
　【００１７】
　丁張３０、４０を設置する際には、まず、梁材３４、４４を、複数の鋼矢板１２の打ち込み予定線に対して直交する線上に水平に配置されるように、測量しながら設置する。つぎに、柱材３２、４２を、梁材３４又は梁材４４の上に鉛直に、かつ、打ち込み予定線の方向に見て重なり合うように、測量しながら設置する。そして、柱材３２、４２の下端を、梁材３４又は梁材４４に点溶接等により固定する。
　【００１８】
　つぎに、下げ振りが吊り下げられた水平器を、柱材３２、４２の上端に水平に設置する。この際、柱材３２、４２の上端を起点にして、水平器を、下げ振りの錘が斜材３６、４６の下端の設計上の位置に吊り下げられるように設置する。そして、梁材３４、４４上の下げ振りの錘が示す位置に印を付し、当該位置に斜材３６又は斜材４６の下端を、点溶接等により固定し、柱材３２又は柱材４２の上端に斜材３６又は斜材４６の上端を、点溶接等により固定する。また、同様の方法により、斜材３６上の発光器２０、２１の発光点の位置に印を付し、斜材４６上の照射点２２、２３に印を付す。
　【００１９】
　一対の発光器２０、２１は、丁張３０の斜材３６の後側から丁張４０の斜材４６の照射点２２、２３に向けてレーザー光線Ｌ１、Ｌ２が照射されるように設置される。ここで、一対の発光器２０、２１の位置及び向きは、これらの発光点を結ぶ直線が斜材３６の軸線と平行になると共に、斜材４６でのレーザー光線Ｌ１、Ｌ２の照射点２２、２３を結ぶ直線が斜材４６の軸線と平行になり、さらに、一対の発光点とレーザー光線Ｌ１、Ｌ２の照射点２２、２３とが複数の鋼矢板１２が並ぶ方向に見て互いに重なり合うように調整される。また、上側の発光器２０の位置は、発光点及びレーザー光線Ｌ１の照射点２２の高さが、打設する鋼矢板１２の上端の高さの設計値と一致するように調整される。
　【００２０】
　以下、鋼矢板１２の打設手順について説明する。図３に示すように、複数の鋼矢板１２を、サイレントパイラー等の杭打ち機２により打設する。この杭打ち機２には、打設中の鋼矢板１２の２次元平面（水平面）内での位置や回転を調整する機構と、打設中の鋼矢板１２の鉛直面に対する傾斜角度とを調整する機構とが設けられており（共に図示省略）、これらの機構により鋼矢板１２の２次元平面内での位置や回転と、鉛直面に対する傾斜角度とを調整しながら鋼矢板１２を打設する。
　【００２１】
　複数の鋼矢板１２の打設作業は、丁張４０が設置されている側すなわちレーザー光線Ｌ１、Ｌ２の受光側から、丁張３０が設置されている側すなわちレーザー光線Ｌ１、Ｌ２の発光側へと進行される。つまり、複数の鋼矢板１２の打設作業は、打設中の鋼矢板１２のジョイント１２Ｊにレーザー光線Ｌ１、Ｌ２が照射されるように進行される。
　【００２２】
　図４に拡大して示すように、レーザー光線Ｌ１、Ｌ２の双方が、打設中の鋼矢板１２のジョイント１２Ｊの所定範囲を照射していれば、打設中の鋼矢板１２の２次元平面内での位置や回転と、鉛直面に対する傾斜角度とは適正であり、これらの調整をすることなく、鋼矢板１２の打設を進める。それに対して、図５に示すように、レーザー光線Ｌ１、Ｌ２が、打設中の鋼矢板１２のジョイント１２Ｊの所定範囲から外れていれば、打設中の鋼矢板１２の２次元平面内での位置や回転と、鉛直面に対する傾斜角度とは適正ではないため、これらの調整をしてから鋼矢板１２の打設を進める。
　【００２３】
　そして、図６に示すように、上側のレーザー光線Ｌ１が打設中の鋼矢板１２の上端を照射した時点で、鋼矢板１２の打設を終了する。ここで、上側のレーザー光線Ｌ１の高さは、鋼矢板１２の上端の高さの設計値と一致するように設定されているため、上側のレーザー光線Ｌ１が打設中の鋼矢板１２の上端を照射した時点で、鋼矢板１２の上端の高さが設計値になる。
　【００２４】
　以上説明したように、本実施形態に係る鋼矢板１２の打設方法では、一対のレーザー光線Ｌ１、Ｌ２を、発光器２０、２１から複数の鋼矢板１２の並び方向へ、当該方向に見て一対の光線Ｌ１、Ｌ２を結ぶ直線が下方に向って掘削領域１側に所定角度だけ傾斜するように照射させ、鋼矢板１２を、一対のレーザー光線Ｌ１、Ｌ２を基準に姿勢を調整して打設する。これによって、斜め土留壁１０を構成する複数の鋼矢板１２を、横方向に直線的に並ぶと共に、所定の傾斜角度で下方に延びるように精度よく打設することができる。
　【００２５】
　また、本実施形態に係る鋼矢板１２の打設方法では、鋼矢板１２を、ジョイント１２Ｊで照射した一対のレーザー光線Ｌ１、Ｌ２を基準に姿勢を調整して打設する。これによって、斜め土留壁１０を構成する複数の鋼矢板１２を、これらのジョイント１２Ｊが横方向に直線的に並ぶように打設することができ、斜め土留壁１０の横方向への直線性をより高くすることができる。
　【００２６】
　さらに、本実施形態に係る鋼矢板１２の打設方法では、上側のレーザー光線Ｌ１の高さを、鋼矢板１２の上端の高さに設定している。これによって、上側のレーザー光線Ｌ１が打設中の鋼矢板１２の上端を照射した時点で、鋼矢板１２の打設を終了すれば、鋼矢板１２の上端の高さが設計値になるため、鋼矢板１２の打設深さの管理が容易である。
　【００２７】
　図７は、他の実施形態に係る鋼矢板１２の打設方法の手順を示す斜視図である。この図に示すように、本実施形態に係る打設方法では、上述の実施形態における一対の発光器２０、２１に替えて、線状に連なったレーザー光線Ｌ０を照射する発光器１２０を、施工ヤードに設置し、複数の鋼矢板１２を打設するための基準を、レーザー光線Ｌ０により設定する。
　【００２８】
　発光器１２０としては、点状のレーザー発光素子が線状に並んだレーザーアレイや、点状のレーザー発光素子から発光されたレーザー光線をポリゴンミラー等で偏向する光走査式の装置等が挙げられる。
　【００２９】
　発光器１２０は、丁張３０の斜材３６の後側から丁張４０の斜材４６に向けてレーザー光線Ｌ０が射出されるように設置される。ここで、発光器１２０の位置及び向きは、レーザー光線Ｌ０が斜材３６の軸線と平行になると共に、斜材４６に照射されたレーザー光線Ｌ０が斜材４６の軸線と平行になり、さらに、レーザー光線Ｌ０が発光位置と照射位置とで、複数の鋼矢板１２の並び方向に見て互いに重なり合うように調整される。また、発光器１２０の位置は、レーザー光線Ｌ０の上端の高さが、打設する鋼矢板１２の上端の高さの設計値と一致するように調整される。
　【００３０】
　複数の鋼矢板１２の打設作業は、打設中の鋼矢板１２のジョイント１２Ｊにレーザー光線Ｌ０が照射されるように進行される。また、各鋼矢板１２は、ジョイント１２Ｊにレーザー光線Ｌ０の全体が照射されるように姿勢を調整されながら打設される。そして、レーザー光線Ｌ０の上端が打設中の鋼矢板１２のジョイント１２の上端を照射した時点で、鋼矢板１２の打設を終了する。
　【００３１】
　図８は、他の実施形態に係る鋼矢板１２の打設方法の手順を示す斜視図である。この図に示すように、本実施形態に係る打設方法では、予め、支持層３まで達しない長さの仮設の鋼矢板１３を、複数本、打ち込み予定線に沿って打設しておき、支持層３まで達する長さの本設の鋼矢板１２を、仮設の鋼矢板１３とジョイントを介して連結されるように打設する。ここで、複数本の仮設の鋼矢板１３は、本設の鋼矢板１２を打設する際に反力材として利用する。そのため、仮設の鋼矢板１３は、本設の鋼矢板１２を打設するための反力がとれる程度の周面摩擦力が得られる分の本数だけ打設する。
　【００３２】
　ここで、土留壁の主働土圧に対する抵抗力を確保するために、本設の鋼矢板１２を支持層３まで打設するが、支持層３は硬質であるため、始めから本設の鋼矢板１２を支持層３まで打設する場合には、始めの数本については精度よく打設するのは難しい。それに対して、本実施形態では、まず、仮設の鋼矢板１３を支持層３よりも浅い位置まで打設して、これらに反力をとって、本設の鋼矢板１２を支持層３まで打設することによって、本設の鋼矢板１２を最初から最後まで精度よく打設することができる。
　【００３３】
　なお、上述の実施形態は、本発明の理解を容易にするためのものであり、本発明を限定するものではない。本発明はその趣旨を逸脱することなく、変更、改良され得ると共に本発明にはその等価物が含まれることは勿論である。例えば、上述の実施形態では、土留壁１０を鋼矢板壁としたが、鋼管矢板壁やソイルセメント柱列壁等の他の土留壁にしてもよい。ここで、土留壁を鋼管矢板壁にする場合には、鋼管矢板を、レーザー光線Ｌ１、Ｌ２（Ｌ０）が鋼管矢板のジョイントの所定範囲を照射するように、姿勢を調整しながら打設すればよい。また、土留壁をソイルセメント柱列壁にする場合には、Ｈ形鋼を、レーザー光線Ｌ１、Ｌ２（Ｌ０）が一方のフランジの端部を照射するように、姿勢を調整しながら打設すればよい。
　【００３４】
　また、上述の実施形態では、複数の鋼矢板１２を設計通りに打設するための基準線を、２本のレーザー光線Ｌ１、Ｌ２により設定したが、直線状に並んだ３本以上のレーザー光線により設定してもよい。
　【符号の説明】
　【００３５】
１　掘削領域、２　杭打ち機、３　支持層、１０　土留壁、１２　鋼矢板、１２Ｊ　ジョイント、１３鋼矢板、２０　発光器、２１　発光器、３０　丁張、３２　柱材、３４　梁材、３６　斜材、４０　丁張、４２　柱材、４４　梁材、４６　斜材、１２０　発光器
（５７）【特許請求の範囲】
　【請求項１】
　下方に向って掘削領域側に傾斜する土留壁を構成する複数の部材を、横方向に直線的に並ぶと共に下方に向って掘削領域側に傾斜するように打設する方法であって、
　複数本の光線又は線状の光線を、発光器から前記複数の部材の並び方向へ、当該方向に見て前記複数本の光線を結ぶ直線又は前記線状の光線が下方に向って掘削領域側に所定角度だけ傾斜するように照射させ、複数の前記部材の各々を、前記複数本の光線又は線状の光線を基準に姿勢を調整して打設する作業を、受光側から発光側へ順次進行させる
ものであり、
　前記発光器は、打設される前記複数の部材の鉛直面に対する傾斜角度と同一の角度だけ鉛直軸に対して傾斜する斜材を備え、該斜材が前記複数の部材の並ぶ方向に見て互いに重なり合うように設置された一対の丁張のうち、一方の前記丁張の前記斜材に対して、他方の前記丁張の前記斜材に付した照射点に向けて照射するように設置される
　【請求項２】
（削除）
　【請求項３】
　下方に向って掘削領域側に傾斜する土留壁を構成する複数の部材を、横方向に並ぶと共に下方に向って掘削領域側に傾斜するように打設する方法であって、
　
複数本の光線又は線状の光線を、発光器から前記複数の部材の並び方向へ、当該方向に見て前記複数本の光線を結ぶ直線又は前記線状の光線が下方に向って掘削領域側に所定角度だけ傾斜するように照射させるものであり、
　前記発光器は、打設される前記複数の部材の鉛直面に対する傾斜角度と同一の角度だけ鉛直軸に対して傾斜する斜材を備え、該斜材が前記複数の部材の並ぶ方向に見て互いに重なり合うように設置された一対の丁張のうち、一方の前記丁張の前記斜材に対して、他方の前記丁張の前記斜材に付した照射点に向けて照射するように設置され、
　前記部材は、鋼矢板又は鋼管矢板であり、前記土留壁は、複数の前記鋼矢板又は鋼管矢板がジョイントを介して連結されて構築され、
　支持層に達しない長さの前記鋼矢板又は鋼管矢板を、前記ジョイントに照射させた前記複数本の光線又は線状の光線を基準に姿勢を調整して支持層よりも上位の層まで打設する工程と、
　支持層まで達する長さの前記鋼矢板又は鋼管矢板を、打設済の前記支持層に達しない長さの前記鋼矢板又は鋼管矢板と前記ジョイントを介して連結されるように、前記ジョイントに照射させた前記複数本の光線又は線状の光線を基準に姿勢を調整して支持層まで打設する工程と、を備えることを特徴とする土留壁を構成する部材の打設方法。
　【請求項４】
　下方に向って掘削領域側に傾斜する土留壁を構成する複数の部材を、横方向に並ぶと共に下方に向って掘削領域側に傾斜するように打設する方法であって、
　複数本の光線又は線状の光線を、発光器から前記複数の部材の並び方向へ、当該方向に見て前記複数本の光線を結ぶ直線又は前記線状の光線が下方に向って掘削領域側に所定角度だけ傾斜するように照射させるとともに、前記複数本の光線の最上位の光線又は前記線状の光線の上端の高さを、前記部材の上端の高さの設計値に設定し、
　前記部材を、前記複数本の光線又は線状の光線を基準に姿勢を調整して打設する
ものであり、
　前記発光器は、打設される前記複数の部材の鉛直面に対する傾斜角度と同一の角度だけ鉛直軸に対して傾斜する斜材を備え、該斜材が前記複数の部材の並ぶ方向に見て互いに重なり合うように設置された一対の丁張のうち、一方の前記丁張の前記斜材に対して、他方の前記丁張の前記斜材に付した照射点に向けて照射するように設置される